(57)【要約】  一実施形態に係る録音装置は、本体の前面（２）に設置され、所定の指向性を有する第１のマイク（５）と、前記本体の前記前面と対向した背面（３）に設けられ、前記第１のマイクに比べて狭い指向性を有する第２のマイク（８）と、前記本体の状態に応じて前記録音処理に用いるマイクを前記第１のマイクと前記第２のマイクとで切り替えて録音処理を実行する録音処理部（３０）と、を具備する。
2016006424.tif 000002
【特許請求の範囲】
【請求項１】
表裏を成す前面と背面とを有する装置本体と、
前記装置本体の前面に設置され、所定の指向性を有する第１のマイクと、
前記装置本体の前記前面と対向した背面に設けられ、前記第１のマイクに比べて狭い指向性を有する第２のマイクと、
前記装置本体の状態に応じて録音処理に用いるマイクを前記第１のマイクと前記第２のマイクとで切り替えて前記録音処理を実行する録音処理部と、
を具備する録音装置。
【請求項２】
前記装置本体が水平に設置されているか垂直に設置されているかを検知する姿勢検知部をさらに具備し、
前記録音処理部は、前記装置本体が水平であるか否かに基づいて前記録音処理に用いるマイクを前記第１のマイクと前記第２のマイクとで切り替える請求項１に記載の録音装置。
【請求項３】
前記録音処理部は、前記装置本体が水平に設置されている場合、前記第１のマイクにより録音処理を実行し、前記装置本体が水平に設置されていない場合に前記第２のマイクにより録音処理を実行する、
請求項２に記載の録音装置。
【請求項４】
前記録音処理部は、前記第１のマイクと前記第２のマイクとのいずれかにより得られた音声からキーワードを抽出する集音処理を行い、集音処理の結果特定のキーワードが抽出され、且つ前記装置本体が水平に設置されている場合に前記第１のマイクにより録音処理を実行する、
請求項２に記載の録音装置。
【請求項５】
前記装置本体の振動を検知する振動検知部をさらに具備し、
前記録音処理部は、前記振動検知部により特定の振動が検知され、且つ前記装置本体が水平に設置されていない場合に前記第２のマイクにより録音処理を実行する、
請求項２に記載の録音装置。
【請求項６】
被挟持部材を挟み込んで前記装置本体を前記被挟持部材に固定させるクリップと、
前記クリップが前記被挟持部材を挟み込んでいる場合にＯＦＦになり、前記クリップが前記被挟持部材を挟み込んでいない場合にＯＮになるクリップスイッチと、
をさらに具備し、
前記録音処理部は、前記クリップスイッチのＯＮとＯＦＦの状態に基づいて録音処理の開始と終了とを制御する請求項１に記載の録音装置。
【請求項７】
前記録音処理部は、前記クリップスイッチがＯＦＦからＯＮに切り替わった場合に前記第２のマイクにより録音処理を実行し、録音処理中に前記クリップスイッチがＯＮからＯＦＦに切り替わった場合に録音処理を終了させる請求項６に記載の録音装置。
【請求項８】
前記装置本体が水平に設置されているか垂直に設置されているかを検知する姿勢検知部をさらに具備し、
前記録音処理部は、前記クリップスイッチがＯＮからＯＦＦに切り替わり、且つ前記装置本体が垂直に配置されている場合に前記第２のマイクにより録音処理を実行し、録音処理中に前記クリップスイッチがＯＦＦからＯＮに切り替わった場合に録音処理を終了させる請求項６に記載の録音装置。
【請求項９】
前記録音処理部は、前記クリップスイッチがＯＮからＯＦＦに切り替わり、且つ前記装置本体が垂直に配置されている場合に予め設定された周波数域の音に対して録音処理を実行する請求項８に記載の録音装置。
【請求項１０】
情報を表示する表示部と、
前記表示部と一体に形成されたタッチセンサを備える操作部と、
前記クリップスイッチがＯＮからＯＦＦに切り替わり、且つ前記装置本体が垂直に配置されている場合に前記録音処理部に録音処理を実行させ、前記タッチセンサを無効にする制御部と、
をさらに具備する請求項８に記載の録音装置。
【請求項１１】
前記第１のマイクにより集音された第１の音声から第１の声成分を抽出し、前記第２のマイクにより集音された第２の音声から第２の声成分を抽出し、前記第１の声成分と前記第１の音声との第１の差分を算出し、前記第２の声成分と前記第２の音声との第２の差分を算出する声成分抽出部をさらに具備し、
前記録音処理部は、前記第１の差分と前記第２の差分とのどちらが大きいかに基づいて前記録音処理に用いるマイクを前記第１のマイクと前記第２のマイクとで切り替える請求項１に記載の録音装置。
【請求項１２】
前記第１のマイクにより集音された第１の音声から第１の声成分を抽出し、前記第２のマイクにより集音された第２の音声から第２の声成分を抽出する声成分抽出部をさらに具備し、
前記録音処理部は、前記第１の声成分と前記第２の声成分とのどちらが大きいかに基づいて前記録音処理に用いるマイクを前記第１のマイクと前記第２のマイクとで切り替える請求項１に記載の録音装置。
【請求項１３】
情報を表示する表示部と、
前記表示部と一体に形成され、操作入力に応じて検出信号を生成するタッチセンサと、
タッチセンサにより生成された検出信号が予め設定されたパターンの信号を備えているか否かを判断するタッチ検出部と、
をさらに具備し、
前記録音処理部は、タッチセンサにより生成された検出信号が予め設定されたパターンの信号を備えていない場合、前記録音処理に用いるマイクを前記第２のマイクに切り替える請求項１に記載の録音装置。
【請求項１４】
タッチセンサにより生成された検出信号が予め設定されたパターンの信号を備えていない場合、前記タッチセンサを無効にする制御部をさらに具備する請求項１３に記載の録音装置。
【請求項１５】
前記背面に設けられ、音波を出力する音波出力部をさらに具備し、
前記録音処理部は、前記音波出力部から出力された音波の反射音が前記第２のマイクにより検出された場合、前記録音処理に用いるマイクを前記第１のマイクに切り替える請求項１に記載の録音装置。
【請求項１６】
表裏を成す前面と背面とを有する装置本体と、前記装置本体の前面に設置され、所定の指向性を有する第１のマイクと、前記装置本体の前記前面と対向した背面に設けられ、前記第１のマイクに比べて狭い指向性を有する第２のマイクと、を具備する録音装置の制御方法であって、
前記装置本体の状態に応じて録音処理に用いるマイクを前記第１のマイクと前記第２のマイクとで切り替えて前記録音処理を実行する、
録音装置の制御方法。
【発明の詳細な説明】
【技術分野】
【０００１】
本発明は、録音装置、及び録音装置の制御方法に関する。
【背景技術】
【０００２】
近年、ステレオ録音とモノラル録音の切り換えが可能なＩＣレコーダーなどの録音装置が一般的に普及している。例えば日本国特開２０１０−９８６１０号公報には姿勢に応じてステレオ録音とモノラル録音とを自動で切り替える録音装置も開示されている。【０００３】
録音装置の小型化が進められている。この為、例えば録音装置にクリップなどが設けられている場合、使用者が衣服のポケットに録音装置を固定して使用することなどが想定される。しかし、従来の録音装置では、録音装置がポケットに固定されるケースなどが想定されていない。この為、従来の録音装置では、録音装置が卓上に平置きされる場合と、ポケットに固定される場合とのそれぞれのケースに適した制御を行うことができないという課題がある。
【発明の概要】
【０００４】
本発明は、録音装置の状態に対応したマイクを用いて録音処理を実行することができる録音装置、及び録音装置の制御方法を提供することを目的とする。
【０００５】
一実施形態に係る録音装置は、本体の前面に設置され、所定の指向性を有する第１のマイクと、前記本体の前記前面と対向した背面に設けられ、前記第１のマイクに比べて狭い指向性を有する第２のマイクと、前記本体の状態に応じて前記録音処理に用いるマイクを前記第１のマイクと前記第２のマイクとで切り替えて録音処理を実行する録音処理部と、を具備する。
【０００６】
本発明によれば、録音装置の状態に対応したマイクを用いて録音処理を実行することができる録音装置、及び録音装置の制御方法を提供することができる。
【図面の簡単な説明】
【０００７】
【図１】図１は、一実施形態に係る録音装置の外観について説明する為の図である。
【図２】図２は、一実施形態に係る録音装置の外観について説明する為の図である。
【図３】図３は、一実施形態に係る録音装置の制御系の例について説明する為の図である。
【図４】図４は、一実施形態に係る録音装置の使用例について説明する為の図である。
【図５】図５は、一実施形態に係る録音装置の動作の例について説明する為の図である。
【図６】図６は、一実施形態に係る録音装置の動作の例について説明する為の図である。
【図７】図７は、一実施形態に係る録音装置の動作の例について説明する為の図である。
【図８】図８は、一実施形態に係る録音装置の使用例について説明する為の図である。
【図９】図９は、一実施形態に係る録音装置の一部の構成の例について説明する為の図である。
【図１０】図１０は、一実施形態に係る録音装置の一部の構成の例について説明する為の図である。
【図１１】図１１は、一実施形態に係る録音装置の動作の例について説明する為の図である。
【図１２】図１２は、一実施形態に係る録音装置の動作の例について説明する為の図である。
【図１３】図１３は、一実施形態に係る録音装置の一部の構成の例について説明する為の図である。
【図１４】図１４は、一実施形態に係る録音装置の制御系の例について説明する為の図である。
【図１５】図１５は、一実施形態に係る録音装置の使用例について説明する為の図である。
【図１６】図１６は、一実施形態に係る録音装置の使用例について説明する為の図である。
【図１７】図１７は、一実施形態に係る録音装置の動作の例について説明する為の説明図である。
【図１８】図１８は、一実施形態に係る録音装置の動作の例について説明する為の図である。
【図１９】図１９は、一実施形態に係る録音装置の動作の例について説明する為の図である。
【図２０】図２０は、一実施形態に係る録音装置の動作の例について説明する為の図である。
【図２１】図２１は、一実施形態に係る録音装置の動作の例について説明する為の図である。
【図２２】図２２は、一実施形態に係る録音装置の動作の例について説明する為の図である。
【発明を実施するための形態】
【０００８】
以下、図を参照しながら、一実施形態に係る録音装置、及び録音装置の制御方法について詳細に説明する。
【０００９】
（第１の実施形態）  
図１及び図２は、録音装置１００の外観の例を示す。また、図３は、録音装置１００の制御系の構成の例を示す。録音装置１００は、マイクにより取得した音声を記憶媒体に保存する。
【００１０】
図１及び図２に示されるように、録音装置１００は、本体１を備える。また、本体１は、前面２、背面３、及び側面４を備える。なお、本体１の形状は、前面２と背面３とを備える構成であれば如何なる形状であってもよい。
【００１１】
本体１の前面２には、第１のマイク５、表示パネル６、及び録音スイッチ７などが設けられている。本体１の背面３は、前面２の反対側に設けられた面である。即ち、背面３は、前面２に対向した面であり、前面２と表裏を成すように形成されている。背面３には、第２のマイク８、及びクリップ９などが設けられている。本体１の側面４は、前面２と背面３との間に設けられた面である。側面４は、２つの長側面と２つの短側面とを備える。２つの長側面は、互いに対向する位置に設けられている。また、２つの短側面は、互いに対向する位置に設けられている。側面４には、スピーカ１０、イヤホンジャック１１、電源スイッチ１２、再生スイッチ１３、停止スイッチ１４、送りスイッチ１５、戻りスイッチ１６、削除スイッチ１７、ボリュームスイッチ１８、及びインジケータ１９などを備える。
【００１２】
第１のマイク５及び第２のマイク８は、それぞれ音声を電気信号に変換するマイクである。各マイクの詳細な構成については後述する。
【００１３】
表示パネル６は、例えば、マトリクス状に配列された複数の画素を備える液晶表示パネルと、この液晶パネルを照明するバックライトとを備える液晶表示装置などを備える。表示パネル６は、録音装置１００の動作状態、設定、再生可能な録音データのリストなどの表示情報を表示する。また、表示パネル６は、光を発する有機ＥＬ素子がマトリクス状に配列された有機ＥＬディスプレイなどを備える構成であってもよい。また、表示パネル６は、上記のような表示情報を表示可能な構成であれば如何なる構成であってもよい。
【００１４】
録音スイッチ７は、録音装置１００に録音処理を実行させるためのスイッチである。録音スイッチ７が押された場合、録音装置１００は、第１のマイク５または第２のマイク８により録音を開始する。また、録音装置１００は、録音処理を実行している状態で録音スイッチ７が操作された場合、録音処理を停止させる、または録音処理を一時的に中断させる構成であってもよい。
【００１５】
クリップ９は、録音装置１００の本体１を固定するための構造体である。クリップ９は、板、または布などの薄い部材（被挟持部材）を挟み込むことにより、録音装置１００の本体１を被挟持部材に固定することができる。なお、被挟持部材は、クリップ９により挟み込んで本体１を固定することができるものであれば如何なるものであってもよい。
【００１６】
スピーカ１０は、音声を出力する音声出力装置である。例えば、スピーカ１０は、録音装置１００により録音された録音データを再生して出力することができる。
【００１７】
イヤホンジャック１１は、イヤホン、ヘッドホンなどの音声を出力する音声出力装置が接続されるインターフェースである。録音装置１００は、イヤホンジャック１１に音声出力装置が接続されている場合、イヤホンジャック１１に接続されている音声出力装置から録音データを再生して出力することができる。
【００１８】
電源スイッチ１２は、録音装置１００の電源状態をＯＮとＯＦＦとで切り替えるためのスイッチである。
【００１９】
再生スイッチ１３は、録音装置１００により保存されている録音データの再生処理を録音装置１００に実行させるためのスイッチである。
【００２０】
停止スイッチ１４は、録音装置１００により実行されている録音処理または再生処理を録音装置１００に停止させるためのスイッチである。
【００２１】
送りスイッチ１５は、録音装置１００により再生中の録音データを録音装置１００に早送り再生させるためのスイッチである。
【００２２】
戻りスイッチ１６は、録音装置１００により再生中の録音データを録音装置１００に巻き戻し再生させるためのスイッチである。
【００２３】
削除スイッチ１７は、録音装置１００により保存されている録音データを録音装置１００に削除させるためのスイッチである。
【００２４】
ボリュームスイッチ１８は、録音装置１００が出力する音声の強度（ボリューム）を変更するためのスイッチである。
【００２５】
また、録音装置１００は、メニュースイッチ、及びホールドスイッチ等のスイッチを備える構成であってもよい。録音装置１００は、メニュースイッチが操作された場合、マイク感度（高／低）、録音モード（標準／ロング）、およびアラーム（オン／オフ）等の機能選択に関連した表示を行なう。さらに、録音装置１００が時計機能を有している場合、録音装置１００は、スイッチの操作に応じて現在日時を表示パネル６に表示させる構成であってもよい。
【００２６】
インジケータ１９は、録音装置１００の状態を示すモジュールである。例えば、インジケータ１９は、ＬＥＤ素子などの発光素子を備える。インジケータ１９は、録音装置１００が録音処理を実行している場合に発光素子を発光させる。これにより、インジケータ１９は、録音装置１００が録音処理を実行していることをユーザに視覚的に認識させることができる。
【００２７】
また、図３に示されるように、録音装置１００は、第１のマイク５に接続された増幅器（ＡＭＰ）２１、ローパスフィルター（ＬＰＦ）２２、及びアナログディジタル変換器（ＡＤＣ）２３、並びに、第２のマイク８に接続された増幅器（ＡＭＰ）２４、ローパスフィルター（ＬＰＦ）２５、及びアナログディジタル変換器（ＡＤＣ）２６を備える。さらに、録音装置１００は、制御部３０、記憶部４０、加速度センサ５０、表示部６０、操作部７０、及びクリップスイッチ９０などを備える。またさらに、録音装置１００は、ディジタルアナログ変換器（ＤＡＣ）８１、ローパスフィルター（ＬＰＦ）８２、及び増幅器（ＡＭＰ）８３を備える。
【００２８】
第１のマイク５は、例えばバウンダリーマイクなどの集音可能な範囲が広い（広指向性）という特徴を持つステレオマイクである。第１のマイク５は、音声をアナログの電気信号に変換する。第１のマイク５は、電気信号をＡＭＰ２１に出力する。
【００２９】
ＡＭＰ２１は、電気信号を増幅する増幅器である。ＡＭＰ２１は、第１のマイク５から出力された電気信号を所定のレベルに増幅し、増幅された電気信号をＬＰＦ２２に出力する。
【００３０】
ＬＰＦ２２は、電気信号の所定の周波数をカットするフィルターである。ＬＰＦ２２は、ＡＭＰ２１から出力された電気信号の所定の周波数（高周波）をカットし、電気信号をＡＤＣ２３に出力する。
【００３１】
ＡＤＣ２３は、ＬＰＦ２２から出力されたアナログの電気信号をディジタル音声信号に変換する。すなわち、ＡＤＣ２３は、アナログの電気信号を量子化し、ディジタル音声信号（量子化データ）に変換する。ＡＤＣ２３は、ディジタル音声信号を制御部３０に出力する。
【００３２】
第２のマイク８は、第１のマイクに比べて集音可能な範囲が狭いという特徴を持つステレオマイクである。第２のマイク８は、音声をアナログの電気信号に変換する。第２のマイク８は、電気信号をＡＭＰ２４に出力する。
【００３３】
ＡＭＰ２４は、電気信号を増幅する増幅器である。ＡＭＰ２４は、第２のマイク８から出力された電気信号を所定のレベルに増幅し、増幅された電気信号をＬＰＦ２５に出力する。
【００３４】
ＬＰＦ２５は、電気信号の所定の周波数（高周波）をカットするフィルターである。ＬＰＦ２５は、ＡＭＰ２４から出力された電気信号の所定の周波数をカットし、電気信号をＡＤＣ２６に出力する。
【００３５】
ＡＤＣ２６は、ＬＰＦ２５から出力されたアナログの電気信号をディジタル音声信号に変換する。すなわち、ＡＤＣ２６は、アナログの電気信号を量子化し、ディジタル音声信号（量子化データ）に変換する。ＡＤＣ２６は、ディジタル音声信号を制御部３０に出力する。
【００３６】
制御部３０は、ＣＰＵ３１、ＲＯＭ３２、ＲＡＭ３３、及び信号処理部３４などを備える。制御部３０は、操作部７０から供給される操作信号に基づいて、ＣＰＵ３１の働きなどによって種々の処理を行う。
【００３７】
ＣＰＵ３１は、種々の演算処理を実行する演算素子などを備える。ＣＰＵ３１は、ＲＯＭ３２などに記憶されているプログラムを実行することにより種々の機能を実現する。
【００３８】
ＲＯＭ３２は、録音装置１００を制御する為のプログラム、及び各種の機能を実現する為のプログラムなどを記憶する。ＣＰＵ３１は、操作部７０から供給される操作信号に基づいて、ＲＯＭ３２に記憶されているプログラムを起動する。これにより、制御部３０は、各部の動作を制御する。
【００３９】
ＲＡＭ３３は、ＣＰＵ３１のワークメモリとして機能する。即ち、ＲＡＭ３３は、ＣＰＵ３１の演算結果、ＣＰＵ３１により読み込まれたデータなどを記憶する。
【００４０】
信号処理部３４は、ディジタル音声信号に対して種々の信号処理を施す。たとえば、信号処理部３４は、ＣＰＵ３１の制御に基づいて、ディジタル音声信号を所定の方式のデータにエンコードする。また、信号処理部３４は、ＣＰＵ３１の制御に基づいて、エンコードされているディジタル音声信号をデコードする。例えば、信号処理部３４は、ＡＤＣ２３またはＡＤＣ２６から出力されたディジタル音声信号を所定の方式のデータにエンコードし、記録用ディジタル音声信号（録音データ）を生成する。
【００４１】
なお、信号処理部３４は、録音時に上記の録音データを一時的に図示されないバッファメモリに記憶する。信号処理部３４は、録音時に上記のデコードを逐次行い、バッファメモリに録音データを逐次書き込む。なお、バッファメモリは、例えばＦＩＦＯ（Ｆｉｒｓｔ  Ｉｎ  Ｆｉｒｓｔ  Ｏｕｔ）のような構造を備える。信号処理部３４は、バッファメモリに書き込まれた録音データをＦＩＦＯの手順で記憶部４０に出力する。このように、制御部３０は、第１のマイク５または第２のマイク８により生成された音声信号を録音データに変換するように信号処理部３４を制御し、録音データを記憶部４０に保存する録音処理部として機能する。またさらに、制御部３０は、録音装置１００の状態に応じて録音処理に使用するマイクを第１のマイク５と第２のマイク８とで切り替えるように第１のマイク５、第２のマイク８、及び信号処理部３４などを制御する。例えば、制御部３０は、操作入力、または録音装置１００の姿勢などの状態に応じて録音処理に使用するマイクを第１のマイク５と第２のマイク８とで切り替える。
【００４２】
また、信号処理部３４は、再生時に上記の録音データを記憶部４０の記憶媒体から読みだし、図示されないバッファメモリに書き込む。さらに、信号処理部３４は、ＦＩＦＯの手順でバッファメモリから録音データを読み出し、読み出した録音データをＤＡＣ８１がアナログの電気信号に変換可能な方式のディジタル音声信号に逐次デコードする。制御部３０は、デコードされたディジタル音声信号をＤＡＣ８１に出力する。
【００４３】
記憶部４０は、制御部３０の制御に基づいて種々のデータを保存する。記憶部４０は、例えば、半導体メモリ、またはハードディスクなどの記憶媒体を備える。また、記憶部４０は、メモリーカードなどの記憶媒体と電気的に接続可能なインターフェースを備える構成であってもよい。記憶部４０は、制御部３０から出力された録音データを記憶媒体に保存することができる。
【００４４】
加速度センサ５０は、録音装置１００の加速度を検出することができる。これにより、録音装置１００は、録音装置１００の本体１が水平であるか否か、及び垂直であるか否かなどの姿勢を検出することができる。即ち、加速度センサ５０は、録音装置１００の本体１の姿勢を検知する姿勢検知部として機能する。
【００４５】
表示部６０は、制御部３０の制御に基づいて種々の情報を表示する。表示部６０は、表示パネル６を備える。さらに、表示部６０は、制御部３０の制御に基づいて表示パネル６に表示させる画面を生成する表示制御部（図示せず）を備える。
【００４６】
操作部７０は、例えば、ユーザによる操作入力に応じて操作信号を生成する操作キーなどを備える。例えば、操作部７０は、上記の録音スイッチ７、電源スイッチ１２、再生スイッチ１３、停止スイッチ１４、送りスイッチ１５、戻りスイッチ１６、削除スイッチ１７、及びボリュームスイッチ１８などを備える。操作部７０は、操作信号を制御部３０に供給する。また、操作部７０は、操作入力に応じた検出信号を生成するタッチセンサ７０ａを備える。操作部７０は、タッチセンサ７０ａにより生成された検出信号に応じて操作信号を生成する。タッチセンサ７０ａは、例えば、静電容量式センサ、または他の方式に基づいて位置情報を生成するデバイスなどにより構成される。タッチセンサ７０ａは、例えば表示部６０の表示パネル６と一体に形成されていてもよい。
【００４７】
ＤＡＣ８１は、制御部３０から出力されたディジタル音声信号をスピーカにより再生可能なアナログの音声信号（再生信号）に変換する。すなわち、ＤＡＣ８１は、ディジタルの電気信号を逆量子化し、再生信号に変換する。ＤＡＣ８１は、再生信号をＬＰＦ８２に出力する。
【００４８】
ＬＰＦ８２は、電気信号の所定の周波数（高周波）をカットするフィルターである。ＬＰＦ８２は、ＤＡＣ８１から出力された再生信号の所定の周波数をカットし、再生信号をＡＭＰ８３に出力する。
【００４９】
ＡＭＰ８３は、再生信号を増幅する増幅器である。ＡＭＰ８３は、増幅した再生信号をスピーカ１０に出力する。すなわち、ＡＭＰ８３は、ＬＰＦ８２から出力された再生信号を所定のレベルに増幅し、増幅された再生信号をスピーカ１０に出力する。
【００５０】
スピーカ１０は、ＡＭＰ８３から出力された再生信号を再生して音声として出力することができる。
【００５１】
クリップスイッチ９０は、クリップ９の挟持状態に応じてＯＮ／ＯＦＦが切り替わるスイッチである。クリップスイッチ９０については後述する。
【００５２】
図４は、録音装置１００の使用例を示す。録音装置１００が例えば卓上などに平置きされる場合、表示パネル６が上面を向くことが想定される。また、録音装置１００が平置きされる場合の向きが不定になることが想定される。そこで、録音装置１００は、表示パネル６が設置されている本体１の前面２に広指向性の第１のマイク５を備える。これにより、録音装置１００の平置きの向きが不定である場合であっても、録音装置１００は、効率よく音声を集音することができる。
【００５３】
また、録音装置１００が平置きされていない場合、録音装置１００が人物（または音源）に向けられていることが想定される。そこで、録音装置１００は、第１のマイク５に対してより狭い指向性を有する第２のマイク８を備える。これにより、録音装置１００が人物または音源に向けられている場合であっても効率よく音声を集音することができる。
【００５４】
またさらに、録音装置１００が平置きされておらず、且つ本体１の姿勢が逐次変化する場合、録音装置１００が手で把持されていることが想定される。この場合、録音装置１００は、操作に応じて第１のマイク５と第２のマイク８とを切り替えて録音処理を実行する。この結果、録音装置１００は、状況に適したマイクで効率よく音声を集音することができる。
【００５５】
図５は、録音装置１００の動作の第１の例を示す。これは、制御部３０によって制御されるもので、ＣＰＵ３１が、各部位と連携して、あらかじめ設定されたプログラムに従って実行するものである。各ステップで表した機能は、必要に応じてハード機能とプログラム制御が連携してあたかも一つの機能部として働く場合がある。
【００５６】
録音装置１００の電源がＯＮされて起動した場合、録音装置１００は、図５及び図６に示される動作を実行する。
【００５７】
まず、録音装置１００の制御部３０のＣＰＵ３１は、録音装置１００が再生モードであるか否か判断する（ステップＳ１１）。例えば、録音装置１００は、再生スイッチ１３が操作された場合、録音装置１００を再生モードに切り替える。録音装置１００が再生モードで動作する場合、ＣＰＵ３１は、記憶部４０の記憶媒体に保存されている録音データのリストを表示パネル６に表示させる。さらに、ＣＰＵ３１は、リストのうちの操作により選択された録音データを再生する再生処理を実行し（ステップＳ１２）、ステップＳ１１に戻る。
【００５８】
ＣＰＵ３１は、録音装置１００が再生モードではないと判断した場合、録音装置１００の本体１が手により把持されているか否か判断する（ステップＳ１３）。ＣＰＵ３１は、例えば、加速度センサ５０から出力される検出信号の時間的な変化が所定以上である場合、本体１が手により把持されていると判断する。また、ＣＰＵ３１は、加速度センサ５０から出力される検出信号の時間的な変化が所定未満である場合、本体１が置かれていると判断する。
【００５９】
さらに、本体１が置かれていると判断した場合、ＣＰＵ３１は、録音装置１００が自動録音モードで動作しているか否か判断する（ステップＳ１４）。例えば、ＣＰＵ３１は、操作部７０の操作に応じて録音装置１００の動作モードを自動録音モードに切り替える。なお、ＣＰＵ３１は、録音装置１００が自動録音モードで動作している場合、音声を集音し、且つ保存を行わない集音処理を第１のマイク５または第２のマイク８により実行する。例えば、ＣＰＵ３１は、集音処理中に所定レベル以上の音声が検知された場合に録音処理を開始する。
【００６０】
なお、ＣＰＵ３１は、ＲＡＭ３３または記憶部４０などにより保持されている設定情報を参照することにより、録音装置１００が自動録音モードで動作しているか否かを判断することができる。ＣＰＵ３１は、録音装置１００が自動録音モードで動作していないと判断した場合、後述するステップＳ２１の処理に移行する。
【００６１】
また、ＣＰＵ３１は、録音装置１００が自動録音モードで動作していると判断した場合、所定レベル以上の音声を検知したか否か判断する（ステップＳ１５）。ここでは、音声で自動録音を開始しているが、近年のセンシング技術の進展によって、ユーザや、録音対象の生体認証などを使うことも可能である。また、単純に所定以上の音声といった判定ではなく、特定の周波数やパターンの音声で録音開始を行ってもよい。例えば、音声認識の技術は、こうした用途に有効である。
【００６２】
所定レベル以上の音声を検知したと判断した場合、ＣＰＵ３１は、録音装置１００の本体１が水平に設置されているか否か判断する（ステップＳ１６）。例えば、ＣＰＵ３１は、加速度センサ５０の検出結果に基づいて本体１が水平に設置されているか否か判断することができる。さらに、例えば、ＣＰＵ３１は、加速度センサ５０の検出結果に基づいて、本体１が水平に設置されており、且つ表示パネル６が上面を向いて設置されているか否かを判断する構成であってもよい。
【００６３】
本体１が水平に設置されている場合、表示パネル６が上面を向けられることが想定される。この場合、本体１の前面２が上面に向けられる。この結果、第１のマイク５が露出する。そこで、ＣＰＵ３１は、本体１が水平に設置されていると判断した場合、例えば、つまり、図４のようなシーンで、多くの人の対話を録音したい場合、第１のマイク５を用いて録音処理を開始する（ステップＳ１７）。第１のマイクの指向性が広いのは、このように広い範囲からの音声を収録したいからである。こういう会議室は閉じられた空間である可能性が高く、比較的雑音は少ないと想定している。この指向性はマイクやその配置によっても変化するが、１８０°に近くてもよく、１３０°程度のものが多く実用化されている。
【００６４】
また、本体１が水平に設置されていない場合、録音装置１００が人物（または音源）に向けられていることが想定される。そこで、ＣＰＵ３１は、本体１が水平に設置されていないと判断した場合、第１のマイク５に対してより狭い指向性を有する第２のマイク８を用いて録音処理を開始する（ステップＳ１８）。例えば、録音装置１００がクリップ９により使用者の衣服のポケットなどの被挟持部材に固定される場合、加速度センサ５０から出力される検出信号の時間的な変化が所定未満になり、且つ本体１の姿勢が水平ではない状態になることが想定される。しかし、ステップＳ１８のように処理することにより、ＣＰＵ３１は、適切なマイクにより録音装置１００に録音処理を実行させることができる。これは広い範囲の録音を行うと、雑音などを拾う可能性が高まり、肝心の音声が聞こえにくくなるからである。特に、このような状況下では、通りすがりなど、十分に静かな場所での集音となることは期待しにくいという考え方もある。また、話者の口の近くに持って行くことは困難な状況でもあるので、その意味でもＳ／Ｎ比が劣化しやすい。第２のマイクの指向性は狭すぎると、マイクの向きのずれで逆に信号量が低下するので、６０°程度を想定しているが、これは選択する部品やその機器上の配置によって差異が出るので、厳密なものではない。
【００６５】
録音処理を開始した場合、ＣＰＵ３１は、録音処理を終了させるか否かを逐次判断する（ステップＳ１９）。例えば、ＣＰＵ３１は、録音処理の実行中に停止スイッチ１４が操作された場合、または予め設定された時間以上音声が検知されなかった場合に録音処理を終了させると判断する。このような録音終了も単純な時間判定以外にも、音声認識などの技術を応用したり、その他の条件を利用できることは言うまでもない。
【００６６】
録音処理を終了させると判断した場合、ＣＰＵ３１は、録音データを記憶部４０に出力し、録音データを記憶媒体に保存させる（ステップＳ２０）。
【００６７】
録音データを記憶媒体に保存させた場合、またはステップＳ１４で自動録音モードではないと判断した場合、またはステップＳ１５で所定レベル以上の音声を検知しなかったと判断した場合、ＣＰＵ３１は、録音装置１００の動作を終了させる為の操作が入力されたか否か判断する（ステップＳ２１）。例えば、ＣＰＵ３１は、電源スイッチ１２が操作された場合、録音装置１００の動作を終了させる為の操作が入力されたと判断する。
【００６８】
録音装置１００の動作を終了させる為の操作が入力されていない場合、ＣＰＵ３１は、ステップＳ１１の処理にループする。また、録音装置１００の動作を終了させる為の操作が入力されたと判断した場合、ＣＰＵ３１は、処理を終了する。
【００６９】
また、ステップＳ１３で録音装置１００の本体１が手により把持されていると判断した場合、ＣＰＵ３１は、図６のステップＳ２２の処理に移行する。ＣＰＵ３１は、マイクを選択する操作が入力されたか否か判断する（ステップＳ２２）。手で持っている場合は、指が自由に使えるので、自動録音などに頼らなくても、マイクの選択や録音開始、終了など様々な操作が可能となる。
【００７０】
なお、ＣＰＵ３１は、ＲＡＭ３３または記憶部４０などにより保持されている設定情報を参照することにより、録音装置１００が録音処理に用いるマイクが第１のマイク５であるか第２のマイク８であるかを認識することができる。すなわち、設定情報は、録音装置１００が録音処理に用いるマイクを示す情報が含まれている。
【００７１】
さらに、ＣＰＵ３１は、マイクを選択する操作が入力されたと判断した場合、操作部７０による操作に応じて録音装置１００が録音処理に用いるマイクを第１のマイク５と第２のマイク８とで切り替える（ステップＳ２３）。具体的には、ＣＰＵ３１は、操作部７０による操作に応じて、設定情報の録音装置１００が録音処理に用いるマイクを示す情報を書き換える。
【００７２】
またさらに、ＣＰＵ３１は、録音装置１００に録音処理を開始させる為の操作（録音操作）が入力されたか否か判断する（ステップＳ２４）。例えば、ＣＰＵ３１は、録音スイッチ７が操作された場合に録音操作が入力されたと判断する。ＣＰＵ３１は、録音操作が入力されたと判断した場合、設定情報により指定されているマイクを用いて録音装置１００により録音処理を開始させる（ステップＳ２５）。
【００７３】
録音処理を開始した場合、ＣＰＵ３１は、録音処理を終了させるか否かを逐次判断する（ステップＳ２６）。例えば、ＣＰＵ３１は、録音処理の実行中に停止スイッチ１４が操作された場合、または予め設定された時間以上音声が検知されなかった場合に録音処理を終了させると判断する。
【００７４】
録音処理を終了させると判断した場合、ＣＰＵ３１は、録音データを記憶部４０に出力し、録音データを記憶媒体に保存させる（ステップＳ２７）。録音データを記憶媒体に保存させた場合、またはステップＳ２４で録音操作が入力されていないと判断した場合、ＣＰＵ３１は、図５のステップＳ２１に移行する。
【００７５】
上記のような構成によると、録音装置１００は、例えば本体１が卓上などに平置きされる場合に第１のマイク５により録音処理を行い、本体１が平置きではない状態で置かれている場合に第２のマイク８により録音処理を行い、本体１が手で把持されている場合に操作に応じて選択されたマイクにより録音処理を実行する。本体１が手で把持されている場合、マイクを口元に持っていくことが可能で、指向性は気にしなくて良い場合もある。初期設定としては第１のマイクで良い。このように、本実施例の録音装置１００は、姿勢及び録音装置１００の状態などに応じて適した特性を有するマイクを用いて録音処理を実行することができる。
【００７６】
図７は、録音装置１００の動作の第２の例を示す。  
録音装置１００の電源がＯＮされて起動した場合、録音装置１００は、図７に示される動作を実行する。
【００７７】
まず、録音装置１００の制御部３０のＣＰＵ３１は、録音装置１００が再生モードであるか否か判断する（ステップＳ３１）。録音装置１００が再生モードで動作する場合、ＣＰＵ３１は、記憶部４０の記憶媒体に保存されている録音データのリストを表示パネル６に表示させる。さらに、ＣＰＵ３１は、リストのうちの操作により選択された録音データを再生する再生処理を実行し（ステップＳ３２）、ステップＳ３１に戻る。
【００７８】
ＣＰＵ３１は、録音装置１００が再生モードではないと判断した場合、録音装置１００の本体１が手により把持されているか否か判断する（ステップＳ３３）。ＣＰＵ３１は、本体１が手により把持されていると判断した場合、図６のステップＳ２２乃至ステップＳ２７の処理を実行し、図７の後述するステップＳ４２の処理に移行する。
【００７９】
加速度センサ５０から出力される検出信号の時間的な変化が所定未満であり、本体１が置かれていると判断した場合、ＣＰＵ３１は、録音装置１００が自動録音モードで動作しているか否か判断する（ステップＳ３４）
ＣＰＵ３１は、録音装置１００が自動録音モードで動作していると判断した場合、録音装置１００の本体１が水平に設置されているか否か判断する（ステップＳ３５）。
【００８０】
本体１が水平に設置されていると判断した場合、ＣＰＵ３１は、音声を集音し、音声からキーワードを抽出し、且つ保存を行わない集音処理を第１のマイク５または第２のマイク８により実行し、集音処理中に特定のキーワードが抽出されたか否か判断する（ステップＳ３６）。ＣＰＵ３１は、集音処理中に取得された音声に対して音声認識処理を行う。これにより、ＣＰＵ３１は、音声から単語をキーワードとして抽出することができる。さらに、ＲＯＭ３２、ＲＡＭ３３、または記憶部４０は、キーワードと突き合せられる単語を示す情報を複数有する辞書を備える。ＣＰＵ３１は、抽出したキーワードと辞書の中の単語とを比較する。ＣＰＵ３１は、辞書の中の単語と一致するキーワードが抽出された場合、第１のマイク５を使用して録音処理を開始し（ステップＳ３７）、ステップＳ４０の処理に移行する。
【００８１】
上記の辞書には、録音の開始を示すキーワードが複数記憶される。キーワードは、例えば「録音開始」、「はじめましょう」などの単語である。なお、キーワードは、如何なる単語であってもよい。
【００８２】
また、ステップＳ３５で本体１が水平ではない状態で置かれていると判断した場合、ＣＰＵ３１は、特定の振動が検知されたか否か判断する（ステップＳ３８）。例えば、ＣＰＵ３１は、加速度センサ５０の検出結果に基づいて特定のパターンの振動が検知されたか否かを判断する。例えば、録音装置１００は、録音装置１００の使用者の衣服のポケットからペンが引き出される際の振動のパターンをＲＯＭ３２、ＲＡＭ３３、または記憶部４０などに予め記憶する。ＣＰＵ３１は、この振動パターンと合致する振動が加速度センサ５０により検出された場合、特定の振動が検知されたと判断する。即ち、加速度センサ５０は、録音装置１００の本体１に対する振動を検知する振動検知部として機能する。なお、振動のパターンは、ベルの音、またはペンと机とが接触する音など如何なるものであってもよい。
【００８３】
特定の振動が検知されたと判断した場合、ＣＰＵ３１は、第２のマイク８を使用して録音処理を開始し（ステップＳ３９）、ステップＳ４０の処理に移行する。
【００８４】
上記のように、ＣＰＵ３１は、第１のマイク５または第２のマイク８により集音した音声信号に特定の振動パターンが含まれていた場合、第２のマイク８により録音を開始する。また、ＣＰＵ３１は、第１のマイク５または第２のマイク８により集音した音声信号の音声認識処理結果に特定のキーワードが含まれていた場合、第１のマイク５により録音を開始する。即ち、ＣＰＵ３１は、第１のマイク５または第２のマイク８により集音した音声信号が予め設定された条件に合致した場合に第１のマイク５または第２のマイク８により自動的に録音を開始することができる。
【００８５】
なお、ステップＳ３６で特定のキーワードが検知されていないと判断した場合、またはステップＳ３８で特定の振動が検知されていないと判断した場合、ステップＳ４２に移行する。
【００８６】
録音処理を開始した場合、ＣＰＵ３１は、録音処理を終了させるか否かを逐次判断する（ステップＳ４０）。例えば、ＣＰＵ３１は、録音処理の実行中に停止スイッチ１４が操作された場合、または予め設定された時間以上音声が検知されなかった場合に録音処理を終了させると判断する。録音処理を終了させると判断した場合、ＣＰＵ３１は、録音データを記憶部４０に出力し、録音データを記憶媒体に保存させる（ステップＳ４１）。
【００８７】
録音データを記憶媒体に保存させた場合、またはステップＳ３４で自動録音モードではないと判断した場合、ＣＰＵ３１は、録音装置１００の動作を終了させる為の操作が入力されたか否か判断する（ステップＳ４２）。例えば、ＣＰＵ３１は、電源スイッチ１２が操作された場合、録音装置１００の動作を終了させる為の操作が入力されたと判断する。
【００８８】
録音装置１００の動作を終了させる為の操作が入力されていない場合、ＣＰＵ３１は、ステップＳ３１の処理にループする。また、録音装置１００の動作を終了させる為の操作が入力されたと判断した場合、ＣＰＵ３１は、処理を終了する。
【００８９】
上記のような構成によっても、録音装置１００は、例えば本体１が卓上などに平置きされ且つ特定のキーワードが検知された場合に第１のマイク５により録音処理を行い、本体１が平置きではない状態で固定され且つ特定の振動が検知された場合に第２のマイク８により録音を実行する。このように、録音装置１００は、録音装置１００の本体１の姿勢及び録音装置１００の周囲の状況に応じて適した特性を有するマイクを用いて録音処理を実行することができる。
【００９０】
また、ＣＰＵ３１は、ステップＳ３７に示されたようにキーワードが抽出された場合に録音処理を開始する構成であると説明したが、この構成に限定されない。ＣＰＵ３１は、複数のキーワードの組み合わせが抽出された場合に録音処理を開始する構成であってもよい。ＣＰＵ３１は、例えば、第１のキーワードが検知されてから所定時間内に第２のキーワードが検知されるか否か判断し、第１のキーワードが検知されてから所定時間内に第２のキーワードが検知された場合に録音処理を開始する構成であってもよい。またさらに、ＣＰＵ３１は、録音処理中に特定のキーワードが検知された場合、録音処理を終了させる構成であってもよい。その他、録音の開始、終了やマイクの切換は、すでに説明したような変形制御を行っても良い。
【００９１】
図８は、録音装置１００の他の使用例を示す。録音装置１００が例えば使用者の胸ポケットなどの被挟持部材にクリップ９により固定される場合、クリップ９が設けられている本体１の背面３が使用者と対面している人物を向くことが想定される。そこで、録音装置１００は、録音装置１００がクリップ９により固定されている場合に本体１の背面３に設けられている第２のマイク８により録音処理を実行する。
【００９２】
図９及び図１０は、クリップスイッチ９０の構成の例を示す。
【００９３】
クリップスイッチ９０は、クリップ９、ヒンジ９１、駆動体９２、及び感圧スイッチ９３などを備える。クリップ９は、板状の構造体である。ヒンジ９１は、クリップ９を本体１の背面３に回動可能な状態で固定する為の部材である。駆動体９２は、クリップ９に対して応力を与える為の部材である。感圧スイッチ９３は、圧力の有無に応じてＯＮ／ＯＦＦが切り替わるスイッチである。
【００９４】
駆動体９２は、本体１の背面３側からクリップ９の一端を押し上げるように設けられている。これにより、クリップ９は、ヒンジ９１を支点として他端（即ち駆動体９２と逆側の端部）が本体１の背面３に対して圧力を加える状態になる。これにより、クリップ９は、クリップ９と本体１の背面との間に存在する被挟持部材Ｐを挟み込んで固定することができる。
【００９５】
また、感圧スイッチ９３は、本体１の背面３上であり、且つクリップ９の他端と接する位置に設けられている。即ち、感圧スイッチ９３（またはクリップスイッチ９０）は、図９に示されるようにクリップ９と本体１の背面３との間に被挟持部材Ｐが挟み込まれていない場合にＯＮになり、図１０に示されるようにクリップ９と本体１の背面３との間に被挟持部材Ｐが挟み込まれている場合にＯＦＦになるように構成されている。
【００９６】
録音装置１００のＣＰＵ３１は、クリップスイッチ９０の感圧スイッチ９３のＯＮ／ＯＦＦに応じてクリップ９と本体１の背面３との間に被挟持部材Ｐが挟み込まれているか否かを判断することができる。制御部３０は、クリップスイッチ９０の感圧スイッチ９３のＯＮ／ＯＦＦと、録音装置１００の姿勢と、に基づいて録音処理に使用するマイクを第１のマイク５と第２のマイク８とで切り替える構成であってもよい。またさらに、制御部３０は、クリップスイッチ９０の感圧スイッチ９３のＯＮ／ＯＦＦに基づいて録音処理を自動的に開始する構成であってもよい。
【００９７】
図１１は、録音装置１００の動作の第３の例を示す。図１１の例では、録音装置１００は、使用者の胸ポケットなどから抜き取られた場合に録音処理を実行する。
【００９８】
録音装置１００の電源がＯＮされて起動した場合、録音装置１００は、図１１に示される動作を実行する。
【００９９】
まず、録音装置１００の制御部３０のＣＰＵ３１は、録音装置１００が再生モードであるか否か判断する（ステップＳ５１）。録音装置１００が再生モードで動作する場合、ＣＰＵ３１は、記憶部４０の記憶媒体に保存されている録音データのリストを表示パネル６に表示させる。さらに、ＣＰＵ３１は、リストのうちの操作により選択された録音データを再生する再生処理を実行し（ステップＳ５２）、ステップＳ５１に戻る。
【０１００】
ＣＰＵ３１は、録音装置１００が再生モードではないと判断した場合、録音装置１００のクリップスイッチ９０（または感圧スイッチ９３）がＯＦＦからＯＮに切り替わったか否か判断する（ステップＳ５３）。録音装置１００のクリップスイッチ９０がＯＦＦからＯＮに切り替わったと判断した場合、ＣＰＵ３１は、第２のマイク８を使用して録音処理を開始し（ステップＳ５４）、ステップＳ６２の処理に移行する。さらに、ＣＰＵ３１は、ステップＳ５４で録音処理を開始した場合、インジケータ１９を点灯させる構成であってもよい。これにより、ＣＰＵ３１は、クリップスイッチ９０の動作に応じて自動的に録音処理を開始した場合であっても、録音装置１００が録音処理を実行している旨を録音装置１００の使用者に視覚的に認識させることができる。
【０１０１】
また、ステップＳ５３で、録音装置１００のクリップスイッチ９０がＯＦＦからＯＮに切り替わっていないと判断した場合、ＣＰＵ３１は、クリップスイッチ９０が既にＯＮであるか否か判断する（ステップＳ５５）。クリップスイッチ９０がＯＦＦであると判断した場合、ＣＰＵ３１は、ステップＳ６２の処理に移行する。
【０１０２】
クリップスイッチ９０がＯＮであると判断した場合、ＣＰＵ３１は、録音処理の実行中であるか否か判断する（ステップＳ５６）。録音処理の実行中であると判断した場合、ＣＰＵ３１は、クリップスイッチ９０がＯＮからＯＦＦに切り替わったか否か判断する（ステップＳ５７）。クリップスイッチ９０がＯＮからＯＦＦに切り替わっていないと判断した場合、ＣＰＵ３１は、ステップＳ６２の処理に移行する。
【０１０３】
ステップＳ５６で録音処理の実行中ではないと判断した場合、ＣＰＵ３１は、録音操作が入力されたか否か判断する（ステップＳ５８）。ＣＰＵ３１は、例えば、録音スイッチ７などが操作された場合に録音操作が入力されたと判断する。録音操作が入力されていないと判断した場合、ＣＰＵ３１は、ステップＳ６２の処理に移行する。
【０１０４】
録音操作が入力されたと判断した場合、ＣＰＵ３１は、第１のマイク５を使用して録音処理を開始する（ステップＳ５９）。さらに、ＣＰＵ３１は、ステップＳ５９で録音処理を開始した場合、インジケータ１９を点灯させる構成であってもよい。これにより、ＣＰＵ３１は、録音装置１００が録音処理を実行している旨を録音装置１００の使用者に視覚的に認識させることができる。
【０１０５】
録音処理を開始した場合、ＣＰＵ３１は、録音処理を終了させるか否かを逐次判断する（ステップＳ６０）。例えば、ＣＰＵ３１は、録音処理の実行中に停止スイッチ１４が操作された場合、または予め設定された時間以上音声が検知されなかった場合に録音処理を終了させると判断する。録音処理を終了させると判断した場合、ＣＰＵ３１は、録音データを記憶部４０に出力し、録音データを記憶媒体に保存させ（ステップＳ６１）、ステップＳ６２の処理に移行する。なお、ＣＰＵ３１は、ステップＳ５４またはステップＳ５９でインジケータ１９を点灯させている場合、ステップＳ６１でインジケータ１９を消灯する構成であってもよい。これにより、ＣＰＵ３１は、録音装置１００が録音処理を終了した旨を録音装置１００の使用者に視覚的に認識させることができる。
【０１０６】
また、ＣＰＵ３１は、ステップＳ５７でクリップスイッチ９０がＯＮからＯＦＦに切り替わったと判断した場合、ステップＳ６１の処理に移行し、録音処理を終了する。
【０１０７】
ＣＰＵ３１は、ステップＳ６２で、録音装置１００の動作を終了させる為の操作が入力されたか否か判断する（ステップＳ６２）。例えば、ＣＰＵ３１は、電源スイッチ１２が操作された場合、録音装置１００の動作を終了させる為の操作が入力されたと判断する。
【０１０８】
録音装置１００の動作を終了させる為の操作が入力されていない場合、ＣＰＵ３１は、ステップＳ５１の処理にループする。また、録音装置１００の動作を終了させる為の操作が入力されたと判断した場合、ＣＰＵ３１は、処理を終了する。
【０１０９】
例えば上記のように、録音装置１００のクリップスイッチ９０がＯＦＦからＯＮに切り替わった場合、録音装置１００が使用者の胸ポケットから引き抜かれた場面などが想定される。そこで、ＣＰＵ３１は、録音装置１００のクリップスイッチ９０がＯＦＦからＯＮに切り替わったと判断した場合に第２のマイク８を使用して録音処理を開始することにより、より簡易に録音処理を録音装置１００に開始させることができる。また、ＣＰＵ３１は、録音装置１００のクリップスイッチ９０がＯＮからＯＦＦに切り替わったと判断した場合に録音処理を終了する。これにより、ＣＰＵ３１は、録音装置１００が使用者の胸ポケットに再び差し込まれた場合に録音処理を終了させることができる。
【０１１０】
なお、上記の例では、ＣＰＵ３１は、ステップＳ５７でクリップスイッチ９０がＯＮからＯＦＦに切り替わったと判断した場合、ステップＳ６１で録音処理を終了させずに別ファイルとして録音データを記憶部４０に保存させ、録音処理を継続する構成であってもよい。
【０１１１】
図１２は、録音装置１００の動作の第４の例を示す。本例では、録音装置１００は、録音装置１００は、使用者の胸ポケットなどに差された場合に録音処理を実行する。  
録音装置１００の電源がＯＮされて起動した場合、録音装置１００は、図１２に示される動作を実行する。
【０１１２】
まず、録音装置１００の制御部３０のＣＰＵ３１は、録音装置１００が再生モードであるか否か判断する（ステップＳ７１）。録音装置１００が再生モードで動作する場合、ＣＰＵ３１は、記憶部４０の記憶媒体に保存されている録音データのリストを表示パネル６に表示させる。さらに、ＣＰＵ３１は、リストのうちの操作により選択された録音データを再生する再生処理を実行し（ステップＳ７２）、ステップＳ７１に戻る。
【０１１３】
ＣＰＵ３１は、録音装置１００が再生モードではないと判断した場合、録音装置１００のクリップスイッチ９０（または感圧スイッチ９３）がＯＦＦからＯＮに切り替わったか否か判断する（ステップＳ７３）。録音装置１００のクリップスイッチ９０がＯＦＦからＯＮに切り替わったと判断した場合、ＣＰＵ３１は、録音処理の実行中であるか否か判断する（ステップＳ７４）。ＣＰＵ３１は、録音処理の実行中ではないと判断した場合、ステップＳ８４の処理に移行する。また、録音処理の実行中であると判断した場合、ＣＰＵ３１は、録音データを記憶部４０に出力し、録音データを記憶媒体に保存させ（ステップＳ７５）、ステップＳ８４の処理に移行する。
【０１１４】
また、ステップＳ７３で録音装置１００のクリップスイッチ９０がＯＦＦからＯＮに切り替わっていないと判断した場合、ＣＰＵ３１は、録音装置１００のクリップスイッチ９０がＯＮからＯＦＦに切り替わったか否か判断する（ステップＳ７６）。録音装置１００のクリップスイッチ９０がＯＮからＯＦＦに切り替わったと判断した場合、ＣＰＵ３１は、加速度センサの検出結果に基づいて録音装置１００の本体１が垂直に配置されているか否か判断する（ステップＳ７７）。録音装置１００の本体１が垂直に配置されていると判断した場合、ＣＰＵ３１は、第２のマイク８を使用して録音処理を開始し（ステップＳ７８）、ステップＳ８４の処理に移行する。
【０１１５】
さらに、ＣＰＵ３１は、ステップＳ７８で録音処理を開始した場合、インジケータ１９を点灯させる構成であってもよい。これにより、ＣＰＵ３１は、クリップスイッチ９０の動作に応じて自動的に録音処理を開始した場合であっても、録音装置１００が録音処理を実行している旨を録音装置１００の使用者に視覚的に認識させることができる。
【０１１６】
またさらに、ＣＰＵ３１は、ステップＳ７８で録音処理を開始した場合、あらかじめ設定された周波数域の音を録音する構成であってもよい。例えば、録音装置１００のクリップスイッチ９０がＯＮからＯＦＦに切り替わり、且つ本体１が垂直に配置されている場合、録音装置１００が使用者の胸ポケットに装着されていることが想定される。この場合、録音装置１００は、布ずれなどによる雑音と会話との両方を録音する可能性がある。しかし、録音する周波数域を例えば人の声に近い周波数域に限定することにより、録音装置１００は、より聞き取りやすく音声を録音することができる。さらに、この構成により、録音装置１００は、録音データの容量を削減することができる。
【０１１７】
またさらに、ＣＰＵ３１は、ステップＳ７８で録音処理を開始し、且つ操作部７０がタッチセンサ７０ａを備える場合、録音処理中にタッチセンサ７０ａを無効にする構成であってもよい。これにより、録音装置１００が使用者の胸ポケットに入っている間に録音装置１００がタッチセンサ７０ａにより操作されてしまうことを防ぐことができる。
【０１１８】
またさらに、録音装置１００は、図示されない振動器を備えていてもよい。例えば、ＣＰＵ３１は、ステップＳ７８で録音処理を開始した場合にインジケータ１９を点灯させるのではなく、図示されない振動器を振動させる構成であってもよい。これにより、録音装置１００は、録音装置１００が録音処理を開始したことを容易に使用者に認識させることができる。
【０１１９】
また、ステップＳ７６で録音装置１００のクリップスイッチ９０がＯＮからＯＦＦに切り替わっていないと判断した場合、ＣＰＵ３１は、クリップスイッチ９０が既にＯＮであるか否か判断する（ステップＳ７９）。クリップスイッチ９０がＯＮではないと判断した場合、ＣＰＵ３１は、ステップＳ８４の処理に移行する。
【０１２０】
また、ステップＳ７７で録音装置１００の本体１が垂直に配置されていないと判断した場合、またはステップＳ７９でクリップスイッチ９０がＯＮではないと判断した場合、ＣＰＵ３１は、録音操作が入力されたか否か判断する（ステップＳ８０）。ＣＰＵ３１は、例えば、録音スイッチ７などが操作された場合に録音操作が入力されたと判断する。録音操作が入力されていないと判断した場合、ＣＰＵ３１は、ステップＳ８４の処理に移行する。
【０１２１】
録音操作が入力されたと判断した場合、ＣＰＵ３１は、第１のマイク５を使用して録音処理を開始する（ステップＳ８１）。さらに、ＣＰＵ３１は、ステップＳ８１で録音処理を開始した場合、インジケータ１９を点灯させる構成であってもよい。これにより、ＣＰＵ３１は、録音装置１００が録音処理を実行している旨を録音装置１００の使用者に視覚的に認識させることができる。
【０１２２】
録音処理を開始した場合、ＣＰＵ３１は、録音処理を終了させるか否かを逐次判断する（ステップＳ８２）。例えば、ＣＰＵ３１は、録音処理の実行中に停止スイッチ１４が操作された場合、または予め設定された時間以上音声が検知されなかった場合に録音処理を終了させると判断する。録音処理を終了させると判断した場合、ＣＰＵ３１は、録音データを記憶部４０に出力し、録音データを記憶媒体に保存させ（ステップＳ８３）、ステップＳ８４の処理に移行する。なお、ＣＰＵ３１は、ステップＳ７８またはステップＳ８１でインジケータ１９を点灯させている場合、ステップＳ８３でインジケータ１９を消灯する構成であってもよい。これにより、ＣＰＵ３１は、録音装置１００が録音処理を終了した旨を録音装置１００の使用者に視覚的に認識させることができる。
【０１２３】
ＣＰＵ３１は、ステップＳ８４で、録音装置１００の動作を終了させる為の操作が入力されたか否か判断する（ステップＳ８４）。例えば、ＣＰＵ３１は、電源スイッチ１２が操作された場合、録音装置１００の動作を終了させる為の操作が入力されたと判断する。
【０１２４】
録音装置１００の動作を終了させる為の操作が入力されていない場合、ＣＰＵ３１は、ステップＳ７１の処理にループする。また、録音装置１００の動作を終了させる為の操作が入力されたと判断した場合、ＣＰＵ３１は、処理を終了する。
【０１２５】
例えば上記のように、録音装置１００のクリップスイッチ９０がＯＮからＯＦＦに切り替わり、且つ本体１が垂直配置である場合、録音装置１００が使用者の胸ポケットに装着されて使用される場面などが想定される。そこで、ＣＰＵ３１は、録音装置１００のクリップスイッチ９０がＯＮからＯＦＦに切り替わり、且つ本体１が垂直に配置されていると判断した場合に第２のマイク８を使用して録音処理を開始する。これにより、ＣＰＵ３１は、より簡易に録音処理を録音装置１００に開始させることができる。また、ＣＰＵ３１は、録音装置１００のクリップスイッチ９０がＯＦＦからＯＮに切り替わったと判断した場合に録音処理を終了する。これにより、ＣＰＵ３１は、録音装置１００が使用者の胸ポケットから引き抜かれた場合に録音処理を終了させることができる。
【０１２６】
また、上記の例では、ＣＰＵ３１は、クリップスイッチ９０のＯＮ／ＯＦＦに基づいて録音処理を実行するか否か、及び録音処理を終了するか否かを判断するような構成であると説明したがこの構成に限定されない。ＣＰＵ３１は、クリップ９の振動、クリップ９が回動する際の音を検知し、検知結果に基づいて録音処理を実行するか否か、及び録音処理を終了するか否かを判断する構成であってもよい。この為に、録音装置１００は、例えばクリップ９の振動を検知する為の検知器、及びクリップ９の回動音を検知する為の検知器などを備える構成であってもよい。この場合、録音装置１００は、これらの検知器の検知結果に基づいて、クリップ９が被挟持部材を挟み込む状態であるか否かを認識することができる。
【０１２７】
またさらに、クリップ９の回動音を検知して録音処理を終了する構成である場合、ＣＰＵ３１は、録音データの最後の数秒をカットして録音データを記憶部４０に保存させる構成であってもよい。なお、カットする秒数は、あらかじめ任意で設定されてもよい。
【０１２８】
またさらに、第１のマイク５及び第２のマイク８は、それぞれステレオマイクとして構成されている。この為、ＣＰＵ３１は、各マイクにより取得された録音データに基づいて音を発している音源の向きを認識することができる。これにより、例えば、ＣＰＵ３１は、録音処理中に音源が存在する方向を表示パネル６に表示させてもよい。またさらに、ＣＰＵ３１は、音源が存在する方向を示す情報を録音データに付加する構成であってもよい。
【０１２９】
図１３は、録音装置１００の本体１の前面２が上部に向けられて置かれた例を示す。クリップ９は、このように置かれた場合に本体１が接地面Ｐに対して傾斜を成すように設けられている。このような構成によると、前面２に設置された第１のマイク５は、音声を取得する範囲を傾けることができる。このような構成によると、録音装置１００は、本体１の前面２を人物に向けて傾斜させた状態で設置されることが可能になる。この結果、録音装置１００は、より人物の音声の取得を容易にすることができる。
【０１３０】
（第２の実施形態）  
図１４は、録音装置１００の制御系の他の例を示す。なお、図３に示された構成と同様の構成には、同じ参照符号を付し詳細な説明を省略する。図３の例と図１４の例とでは、録音装置１００が音波出力部８０をさらに備える点と、制御部３０が声成分抽出部３６、タッチ検出部３７、及び反射音検出部３８を備える点とが異なる。
【０１３１】
音波出力部８０は、音声または振動などの音波を出力する構成である。音波出力部８０は、例えば、ソナーなどに用いられる音波を出力する。図１５に示されるように、音波出力部８０は、録音装置１００の背面３であり、且つ第２のマイク８の近傍に設けられる。
【０１３２】
声成分抽出部３６は、第１のマイク５または第２のマイク８により集音された音声から人の声を抽出する。人の声は、単語、音節、または話者の感情表現などの要因の為に環境音などの雑音に比べて周波数特性が変化しやすい。これに対し、雑音は、周波数特性の変化が小さく、且つ音量（振幅）が変化しやすい傾向がある。このように人の声と環境音などの雑音と特徴が異なる。声成分抽出部３６は、このような特徴の差異を検出することによって第１のマイク５または第２のマイク８により集音された音声から人の声である声成分を抽出する。
【０１３３】
例えば、声成分抽出部３６は、入力された音声のうちの特定の周波数の音を抽出する。これにより、声成分抽出部３６は、音声から雑音の成分を抽出することができる。さらに、声成分抽出部３６は、雑音成分の振幅の変動予測を生成する。これにより、声成分抽出部３６は、雑音成分の変化を逐次予測する。声成分抽出部３６は、入力された音声から雑音成分の変動予測を減算することにより、音声の雑音をキャンセルすることができる。この結果、声成分抽出部３６は、入力された音声から雑音成分がキャンセルされた声成分を抽出することができる。
【０１３４】
例えば、図１５に示されるように、録音装置１００が胸ポケットなどに入れられている場合、クリップ９が設けられている背面３と対向する前面２が衣服Ｃに接触する。この為、前面２に設けられた第１のマイク５は、第２のマイク８に比べ雑音が多くなる。そこで、例えば、声成分抽出部３６は、第１のマイク５により集音された音声（第１の音声）と第１の音声から抽出された声成分（第１の声成分）との差分（第１の差分）と、第２のマイク８により集音された音声（第２の音声）と第２の音声から抽出された声成分（第２の声成分）との差分（第２の差分）と、を比較する。また例えば、声成分抽出部３６は、第１の声成分と第２の声成分とを比較する構成であってもよい。第１の差分は、第１の音声に含まれている雑音、第２の差分は、第２の音声に含まれている雑音にそれぞれ相当する。
【０１３５】
制御部３０は、声成分抽出部３６による比較結果に基づいて録音処理に使用するマイクを選択する。制御部３０は、声成分抽出部３６による第１の差分と第２の差分との比較結果に基づいて録音処理に使用するマイクを選択する。また例えば、制御部３０は、声成分抽出部３６による第１の声成分と第２の声成分との比較結果に基づいて録音処理に使用するマイクを選択する構成であってもよい。これにより、制御部３０は、より雑音の小さなマイクを録音処理に使用することができる。
【０１３６】
またさらに、図１５の例にように録音装置１００が胸ポケットなどに差し込まれて使用される場合、前面２が衣服Ｃに接触する。この為、前面２に設けられた表示パネル６にタッチパネルが設けられている場合、ユーザの意図しないタッチ操作が行われる可能性がある。
【０１３７】
タッチ検出部３７は、操作部７０のタッチセンサ７０ａにより検出された検出信号に基づいて、ユーザの意図しないタッチ操作が行われたか否か判断する。例えば、タッチセンサ７０ａに対するタッチ操作は、例えばタップ、フリック、スワイプ、ピンチなどが一般的である。この為、ユーザの意図による操作は、これらの一般的なタッチ操作のいずれかによって行われる可能性が高い。この為、ユーザが意図してタッチ操作を行った場合、タッチセンサ７０ａにより検出された検出信号は、予め規定された規則性（所定パターン）を備える可能性が高い。そこで、タッチ検出部３７は、操作部７０のタッチセンサ７０ａにより検出された検出信号が予め設定されたパターンに対応しているか否か判断することにより、ユーザの意図しないタッチ操作が行われたか否か判断する。
【０１３８】
制御部３０は、タッチ検出部３７により予め設定されたパターンとは異なるタッチ操作が検出された場合、録音装置１００が胸ポケットなどに差し込まれて使用されていると判断する。この場合、録音装置１００の背面３が録音装置１００の操作者の正面に向く為、制御部３０は、録音装置１００の背面３に設けられた第２のマイク８を録音処理に用いるマイクとして選択する。さらに制御部３０は、操作部７０のタッチセンサ７０ａによる誤操作を防ぐためにタッチセンサ７０ａを無効にする。
【０１３９】
反射音検出部３８は、音波出力部８０から出力された音波の反射音を検出する。反射音検出部３８は、第１のマイク５により集音された第１の音声及び第２のマイク８により集音された第２の音声に基づいて音波出力部８０から出力された音波の反射音を検出する。
【０１４０】
例えば図１６に示されるように録音装置１００の本体１の前面２が上部に向けられて置かれた場合、背面３と接地面Ｐとが対向する。音波出力部８０から音波が出力されることにより、空気中に音波Ｗ１が発生する。音波Ｗ１は、接地面Ｐで反射し、接地面Ｐから反射音Ｗ２が反射される。また、音波出力部８０から音波が出力されることにより、本体１内で音波出力部８０から第１のマイク５に伝達する筐体内振動Ｗ３が発生する。またさらに、音波出力部８０から音波が出力されることにより、本体１内で音波出力部８０から第２のマイク８に伝達する筐体内振動Ｗ４が発生する。
【０１４１】
録音装置１００の本体１の前面２が上部に向けられて接地面Ｐに置かれた状態で音波出力部８０から音波が出力された場合、第１のマイク５は、図１７に示されるような筐体内振動Ｗ３を検出する。また、第２のマイク８は、図１７に示されるような反射音Ｗ２と筐体内振動Ｗ４とを検出する。図１７の上のグラフは、第２のマイク８により検出された波形を示す。図１７の下のグラフは、第１のマイク５により検出された波形を示す。なお、図１７の上のグラフの縦軸は振幅を示し、横軸は時間を示す。
【０１４２】
反射音Ｗ２は、筐体内振動Ｗ４に比べて伝搬経路が長い為、位相が遅延する。反射音検出部３８は、第１のマイク５により集音された第１の音声及び第２のマイク８により集音された第２の音声の波形を解析することにより、筐体内振動Ｗ３及び筐体内振動Ｗ４に対して遅延した反射音Ｗ２を検出することができる。なお、反射音検出部３８は、筐体内振動Ｗ３と筐体内振動Ｗ４との両方に対して遅延した波形を反射音Ｗ２として検出構成であってもよいし、筐体内振動Ｗ３と筐体内振動Ｗ４とのいずれかに対して遅延した波形を反射音Ｗ２として検出構成であってもよい。
【０１４３】
なお、反射音検出部３８は、例えば第２のマイク８と接地面Ｐとが１ｃｍ離れていれば、筐体内振動Ｗ３または筐体内振動Ｗ４に対して遅延した反射音Ｗ２を検出することができる。反射音Ｗ２を検出可能な第２のマイク８と接地面Ｐとの距離は、反射音検出部３８が筐体内振動Ｗ３または筐体内振動Ｗ４と反射音Ｗ２とを区別することができる程度に反射音Ｗ２が遅延する距離であれば如何なる距離であってもよい。
【０１４４】
制御部３０は、反射音Ｗ２が検出された場合、録音装置１００が接地面Ｐに載置されていると認識する。録音装置１００が接地面Ｐに載置されている場合、前面２が上部に向かう。制御部３０は、録音装置１００が接地面Ｐに載置されている場合、前面２に設けられた第１のマイク５を録音処理に用いるマイクとして選択する。これにより、制御部３０は、録音装置１００が接地面Ｐに載置されている状態で第２のマイク８に対して指向性が広い第１のマイク５を用いて録音処理を実行することができる。
【０１４５】
制御部３０は、声成分抽出部３６、タッチ検出部３７、及び反射音検出部３８の処理結果のいずれかを適宜選択し、選択した処理結果に基づいて録音処理に用いるマイクを選択する。なお、制御部３０は、声成分抽出部３６、タッチ検出部３７、及び反射音検出部３８の複数の処理結果を統合して録音処理に用いるマイクを選択する構成であってもよい。例えば、制御部３０は、声成分抽出部３６、タッチ検出部３７、及び反射音検出部３８の各処理結果に基づいて第１のマイク５と第２のマイク８とのどちらを優先させるかを示すスコアを算出し、算出したスコアの合計に基づいて録音処理に用いるマイクを選択する構成であってもよい。
【０１４６】
図１８は、第２の実施形態に係る録音装置１００の動作の例を示す。  
制御部３０は、録音を開始するか否か判断する（ステップＳ９１）。制御部３０は、例えば録音を開始する操作が入力された場合、または録音を開始する所定の条件が満たされた場合録音を開始すると判断する。例えば制御部３０は、上記のように、録音スイッチ７が操作された場合に録音を開始すると判断する。また例えば制御部３０は、上記のように、クリップスイッチ９０のＯＮ／ＯＦＦ、録音装置１００の姿勢、音声の検知、特定のキーワードの検知、特定の振動の検知などに基づいて録音を開始するか否か判断する。例えば、制御部３０は、音声を検知した場合に録音を開始すると判断する構成であってもよい。また、例えば、制御部３０は、特定のキーワードを検知した場合に録音を開始すると判断する構成であってもよい。また、例えば、制御部３０は、特定の振動を検知した場合に録音を開始すると判断する構成であってもよい。また、例えば、制御部３０は、クリップスイッチ９０のＯＮ／ＯＦＦと録音装置１００の姿勢とに基づいて録音を開始すると判断する構成であってもよい。
【０１４７】
制御部３０は、録音を開始すると判断するまでステップＳ９１の処理を実行する。制御部３０は、録音を開始すると判断した場合（ステップＳ９１、ＹＥＳ）、録音処理に用いるマイクを選択する（ステップＳ９２）。
【０１４８】
制御部３０は、選択したマイクを用いて録音開始するように各部を制御する（ステップＳ９３）。
【０１４９】
制御部３０は、録音を終了するか否か判断する（ステップＳ９４）。制御部３０は、例えば録音を終了する操作が入力された場合、または録音を終了する所定の条件が満たされた場合録音を終了すると判断する。例えば制御部３０は、録音処理の実行中に予め設定された時間以上音声が検知されなかった場合に録音処理を終了すると判断する構成であってもよい。また、例えば、制御部３０は、クリップスイッチ９０のＯＮ／ＯＦＦと録音装置１００の姿勢とに基づいて録音を終了すると判断する構成であってもよい。また、例えば、制御部３０は、特定のキーワードを検知した場合に録音を終了すると判断する構成であってもよい。また、例えば、制御部３０は、特定の振動を検知した場合に録音を終了すると判断する構成であってもよい。またさらに、制御部３０は、予め設定された他の条件に基づいて録音を終了すると判断する構成であってもよい。
【０１５０】
制御部３０は、録音を終了すると判断するまでステップＳ９４の処理を実行する。制御部３０は、録音を終了すると判断した場合（ステップＳ９４、ＹＥＳ）、録音データを記憶部４０に出力し、録音データを記憶媒体に保存させる（ステップＳ９５）。
【０１５１】
録音データを記憶媒体に保存させた場合、制御部３０は、録音装置１００の動作を終了させる為の操作が入力されたか否か判断する（ステップＳ９６）。例えば、制御部３０は、電源スイッチ１２が操作された場合、録音装置１００の動作を終了させる為の操作が入力されたと判断する。
【０１５２】
録音装置１００の動作を終了させる為の操作が入力されていない場合、制御部３０は、ステップＳ９１の処理に移行する。また、録音装置１００の動作を終了させる為の操作が入力されたと判断した場合、制御部３０は、処理を終了する。
【０１５３】
図１９乃至図２２は、制御部３０による図１８のステップＳ９２に相当する処理の例を示す。図１９及び図２０は、声成分抽出部３６の処理結果に基づいて録音処理に使用するマイクを選択する制御部３０による処理の例を示す。図２１は、タッチ検出部３７の処理結果に基づいて録音処理に使用するマイクを選択する制御部３０による処理の例を示す。図２２は、反射音検出部３８の処理結果に基づいて録音処理に使用するマイクを選択する制御部３０による処理の例を示す。
【０１５４】
まず図１９の例について説明する。  
制御部３０は、第１のマイク５及び第２のマイク８により第１の音声及び第２の音声を集音するように第１のマイク５及び第２のマイク８を制御する（ステップＳ１０１）。
【０１５５】
制御部３０は、声成分抽出部３６により第１の音声から第１の声成分を抽出し、第２の音声から第２の声成分を抽出するように声成分抽出部３６を制御する（ステップＳ１０２）。
【０１５６】
制御部３０は、声成分抽出部３６により第１の声成分と第１の音声との第１の差分と、第２の声成分と第２の音声との第２の差分と、を算出するように声成分抽出部３６を制御する（ステップＳ１０３）。
【０１５７】
制御部３０は、声成分抽出部３６により第１の差分と第２の差分とを比較するように声成分抽出部３６を制御する（ステップＳ１０４）。
【０１５８】
制御部３０は、第１の差分が第２の差分未満であるか否か判断する（ステップＳ１０５）。制御部３０は、第１の差分が第２の差分未満であると判断した場合（ステップＳ１０５、ＹＥＳ）、第１のマイク５を選択し（ステップＳ１０６）、処理を終了する。また、制御部３０は、第１の差分が第２の差分未満ではないと判断した場合（ステップＳ１０５、ＮＯ）、第２のマイク８を選択し（ステップＳ１０７）、処理を終了する。
【０１５９】
上記のように、制御部３０は、第１の差分と第２の差分とのどちらが大きいかに基づいて録音処理に用いるマイクを第１のマイク５と第２のマイク８とで切り替えることができる。このように録音処理に用いるマイクを選択することにより、制御部３０は、より雑音の小さなマイクを選択することができる。なお、制御部３０は、第１の差分と第２の差分とが等しい場合、第１のマイク５と第２のマイク８とのどちらを選択する構成であってもよい。
【０１６０】
次に図２０の例について説明する。  
制御部３０は、第１のマイク５及び第２のマイク８により第１の音声及び第２の音声を集音するように第１のマイク５及び第２のマイク８を制御する（ステップＳ１１１）。
【０１６１】
制御部３０は、声成分抽出部３６により第１の音声から第１の声成分を抽出し、第２の音声から第２の声成分を抽出するように声成分抽出部３６を制御する（ステップＳ１１２）。
【０１６２】
制御部３０は、声成分抽出部３６により第１の声成分と第２の声成分とを比較するように声成分抽出部３６を制御する（ステップＳ１１３）。
【０１６３】
制御部３０は、第２の声成分が第１の声成分未満であるか否か判断する（ステップＳ１１４）。制御部３０は、第２の声成分が第１の声成分未満であると判断した場合（ステップＳ１１４、ＹＥＳ）、第１のマイク５を選択し（ステップＳ１１５）、処理を終了する。また、制御部３０は、第２の声成分が第１の声成分未満ではないと判断した場合（ステップＳ１１４、ＮＯ）、第２のマイク８を選択する（ステップＳ１１６）。
【０１６４】
上記のように、制御部３０は、第１の声成分と第２の声成分とのどちらが大きいかに基づいて録音処理に用いるマイクを第１のマイク５と第２のマイク８とで切り替える。このように録音処理に用いるマイクを選択することにより、制御部３０は、より雑音の小さなマイクを選択することができる。なお、制御部３０は、第２の声成分と第１の声成分とが等しい場合、第１のマイク５と第２のマイク８とのどちらを選択する構成であってもよい。
【０１６５】
次に図２１の例について説明する。  
制御部３０は、タッチ検出部３７によりタッチセンサ７０ａの検出信号を解析するようにタッチ検出部３７を制御する（ステップＳ１２１）。
【０１６６】
制御部３０は、タッチ検出部３７によりタッチセンサ７０ａの検出信号が予め設定されたパターンを有するか否か判断するようにタッチ検出部３７を制御する（ステップＳ１２２）。
【０１６７】
タッチセンサ７０ａの検出信号が予め設定されたパターンを有していると判断された場合（ステップＳ１２２、ＹＥＳ）、制御部３０は、第１のマイクを選択する（ステップＳ１２３）、処理を終了する。
【０１６８】
また、タッチセンサ７０ａの検出信号が予め設定されたパターンを有していないと判断された場合（ステップＳ１２２、ＹＥＳ）、制御部３０は、第２のマイクを選択する（ステップＳ１２４）。さらに、制御部３０は、タッチセンサ７０ａを無効にし（ステップＳ１２５）、処理を終了する。
【０１６９】
上記のような処理によると、制御部３０は、タッチセンサ７０ａにより生成された検出信号が予め設定されたパターンの信号を備えているか否かをタッチ検出部３７に判断させる。タッチセンサ７０ａにより生成された検出信号が予め設定されたパターンの信号を備えていない場合、制御部３０は、録音処理に用いるマイクを第２のマイク８に切り替える。これにより、制御部３０は、録音装置１００が胸ポケットなどに差し込まれて使用される場合に衣服Ｃに接触しない第２のマイク８を録音処理に使用するマイクとして選択することができる。これにより、制御部３０は、より雑音の小さなマイクを選択することができる。また、制御部３０は、録音装置１００が胸ポケットなどに差し込まれて使用される場合にタッチセンサ７０ａを無効にすることにより、ユーザの意図しないタッチ操作を防ぐことができる。
【０１７０】
次に図２２の例について説明する。
【０１７１】
制御部３０は、音波出力部８０により音波を出力するように音波出力部８０を制御する（ステップＳ１３１）。
【０１７２】
制御部３０は、第１のマイク５及び第２のマイク８により第１の音声及び第２の音声を集音するように第１のマイク５及び第２のマイク８を制御する（ステップＳ１３２）。
【０１７３】
制御部３０は、反射音検出部３８により第１の音声または第２の音声を解析するように反射音検出部３８を制御する（ステップＳ１３３）。これにより、反射音検出部３８は、音波出力部８０から出力された音波の反射音が第１の音声または第２の音声に含まれている場合に反射音を検出することができる。なお、反射音検出部３８は、音波出力部８０が設けられている面と同じ面に設けられたマイクにより集音された音声を解析し、他方の面に設けられたマイクにより集音された音声を解析しない構成であってもよい。例えば、本例では、音波出力部８０が背面３に設けられている為、反射音検出部３８は、背面３に設けられている第２のマイク８により集音された第２の音声のみを解析する構成であってもよい。
【０１７４】
制御部３０は、反射音検出部３８の検出結果に基づいて反射音が検出されたか否か判断する（ステップＳ１３４）。
【０１７５】
制御部３０は、反射音が検出されたと判断した場合（ステップＳ１３４、ＹＥＳ）、第１のマイクを選択し（ステップＳ１３５）、処理を終了する。
【０１７６】
また、制御部３０は、反射音が検出されなかったと判断した場合（ステップＳ１３４、ＮＯ）、第２のマイク８を選択し（ステップＳ１３６）、処理を終了する。なお、制御部３０は、反射音が検出されなかったと判断した場合（ステップＳ１３４、ＮＯ）、第１のマイク５と第２のマイク８とで予め設定された方を録音処理に使用するマイクとして選択する構成であってもよい。
【０１７７】
上記のような処理によると、制御部３０は、音波出力部８０から出力された音波の反射音が検出されたか否かに基づいて録音装置１００が接地面Ｐに載置されているか否か認識することができる。さらに、制御部３０は、録音装置１００が接地面Ｐに載置されていると判断した場合に上部に向かった前面２に設けられた第１のマイク５を録音処理に用いるマイクとして選択する。これにより、制御部３０は、録音装置１００が接地面Ｐに載置されている状態で第２のマイク８に対して指向性が広い第１のマイク５を用いて録音処理を実行することができる。
【０１７８】
なお、上記の第２の実施形態では、制御部３０は、声成分抽出部３６、タッチ検出部３７、及び反射音検出部３８の処理結果のいずれかを適宜選択し、選択した処理結果に基づいて録音処理に用いるマイクを選択する構成であると説明したがこの構成に限定されない。制御部３０は、声成分抽出部３６、タッチ検出部３７、及び反射音検出部３８の処理結果、手動操作の結果、クリップスイッチ９０のＯＮ／ＯＦＦ状態、及び姿勢の検出結果のいずれかを適宜選択し、選択した結果に基づいて録音処理に用いるマイクを選択する構成であってもよい。またさらに、制御部３０は、声成分抽出部３６、タッチ検出部３７、及び反射音検出部３８の処理結果、手動操作の結果、クリップスイッチ９０のＯＮ／ＯＦＦ状態、及び姿勢の検出結果などをそれぞれ評価して第１のマイク５と第２のマイク８とのどちらを優先させるかを示すスコアを算出し、算出したスコアの合計に基づいて録音処理に用いるマイクを選択する構成であってもよい。
【０１７９】
本発明の実施形態の説明にあたっては、録音装置１００を例に挙げて説明したがこの構成に限定されない。録音装置１００は、複数のマイクを備える構成であれば、デジタルカメラ、ビデオカメラ、携帯電話、ＰＤＡ（携帯情報端末：Personal Digital Assistant）等の携帯電子機器などであってもよい。また、各実施例で補足して記載した事は、他の実施例に対しても同様の補足が可能であり、各実施例で利用した技術は、他の実施例と適宜、組み合わせたりしても良い。
【０１８０】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１８１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図１】
2016006424.tif 000003
【図２】
2016006424.tif 000004
【図３】
2016006424.tif 000005
【図４】
2016006424.tif 000006
【図５】
2016006424.tif 000007
【図６】
2016006424.tif 000008
【図７】
2016006424.tif 000009
【図８】
2016006424.tif 000010
【図９】
2016006424.tif 000011
【図１０】
2016006424.tif 000012
【図１１】
2016006424.tif 000013
【図１２】
2016006424.tif 000014
【図１３】
2016006424.tif 000015
【図１４】
2016006424.tif 000016
【図１５】
2016006424.tif 000017
【図１６】
2016006424.tif 000018
【図１７】
2016006424.tif 000019
【図１８】
2016006424.tif 000020
【図１９】
2016006424.tif 000021
【図２０】
2016006424.tif 000022
【図２１】
2016006424.tif 000023
【図２２】
2016006424.tif 000024
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
表裏を成す前面と背面とを有する装置本体と、
前記装置本体の前面に設置され、所定の指向性を有する第１のマイクと、
前記装置本体の前記前面と対向した背面に設けられ、前記第１のマイクに比べて狭い指向性を有する第２のマイクと、
前記装置本体の状態に応じて録音処理に用いるマイクを前記第１のマイクと前記第２のマイクとで切り替えて前記録音処理を実行する録音処理部と、
前記装置本体が水平に設置されているか垂直に設置されているかを検知する姿勢検知部と、
を具備し、
前記録音処理部は、前記装置本体が水平であるか否かに基づいて前記録音処理に用いるマイクを前記第１のマイクと前記第２のマイクとで切り替える録音装置。
【請求項２】
前記録音処理部は、前記装置本体が水平に設置されている場合、前記第１のマイクにより録音処理を実行し、前記装置本体が水平に設置されていない場合に前記第２のマイクにより録音処理を実行する、
請求項１に記載の録音装置。
【請求項３】
前記録音処理部は、前記第１のマイクと前記第２のマイクとのいずれかにより得られた音声からキーワードを抽出する集音処理を行い、集音処理の結果特定のキーワードが抽出され、且つ前記装置本体が水平に設置されている場合に前記第１のマイクにより録音処理を実行する、
請求項１に記載の録音装置。
【請求項４】
前記装置本体の振動を検知する振動検知部をさらに具備し、
前記録音処理部は、前記振動検知部により特定の振動が検知され、且つ前記装置本体が水平に設置されていない場合に前記第２のマイクにより録音処理を実行する、
請求項１に記載の録音装置。
【請求項５】
表裏を成す前面と背面とを有する装置本体と、
前記装置本体の前面に設置され、所定の指向性を有する第１のマイクと、
前記装置本体の前記前面と対向した背面に設けられ、前記第１のマイクに比べて狭い指向性を有する第２のマイクと、
前記装置本体の状態に応じて録音処理に用いるマイクを前記第１のマイクと前記第２のマイクとで切り替えて前記録音処理を実行する録音処理部と、
被挟持部材を挟み込んで前記装置本体を前記被挟持部材に固定させるクリップと、
前記クリップが前記被挟持部材を挟み込んでいる場合にＯＦＦになり、前記クリップが前記被挟持部材を挟み込んでいない場合にＯＮになるクリップスイッチと、
を具備し、
前記録音処理部は、前記クリップスイッチのＯＮとＯＦＦの状態に基づいて録音処理の開始と終了とを制御する録音装置。
【請求項６】
前記録音処理部は、前記クリップスイッチがＯＦＦからＯＮに切り替わった場合に前記第２のマイクにより録音処理を実行し、録音処理中に前記クリップスイッチがＯＮからＯＦＦに切り替わった場合に録音処理を終了させる請求項５に記載の録音装置。
【請求項７】
前記装置本体が水平に設置されているか垂直に設置されているかを検知する姿勢検知部をさらに具備し、
前記録音処理部は、前記クリップスイッチがＯＮからＯＦＦに切り替わり、且つ前記装置本体が垂直に配置されている場合に前記第２のマイクにより録音処理を実行し、録音処理中に前記クリップスイッチがＯＦＦからＯＮに切り替わった場合に録音処理を終了させる請求項５に記載の録音装置。
【請求項８】
前記録音処理部は、前記クリップスイッチがＯＮからＯＦＦに切り替わり、且つ前記装置本体が垂直に配置されている場合に予め設定された周波数域の音に対して録音処理を実行する請求項７に記載の録音装置。
【請求項９】
情報を表示する表示部と、
前記表示部と一体に形成されたタッチセンサを備える操作部と、
前記クリップスイッチがＯＮからＯＦＦに切り替わり、且つ前記装置本体が垂直に配置されている場合に前記録音処理部に録音処理を実行させ、前記タッチセンサを無効にする制御部と、
をさらに具備する請求項７に記載の録音装置。
【請求項１０】
表裏を成す前面と背面とを有する装置本体と、
前記装置本体の前面に設置され、所定の指向性を有する第１のマイクと、
前記装置本体の前記前面と対向した背面に設けられ、前記第１のマイクに比べて狭い指向性を有する第２のマイクと、
前記装置本体の状態に応じて録音処理に用いるマイクを前記第１のマイクと前記第２のマイクとで切り替えて前記録音処理を実行する録音処理部と、
前記第１のマイクにより集音された第１の音声から第１の声成分を抽出し、前記第２のマイクにより集音された第２の音声から第２の声成分を抽出し、前記第１の声成分と前記第１の音声との第１の差分を算出し、前記第２の声成分と前記第２の音声との第２の差分を算出する声成分抽出部と、
を具備し、
前記録音処理部は、前記第１の差分と前記第２の差分とのどちらが大きいかに基づいて前記録音処理に用いるマイクを前記第１のマイクと前記第２のマイクとで切り替える録音装置。
【請求項１１】
表裏を成す前面と背面とを有する装置本体と、
前記装置本体の前面に設置され、所定の指向性を有する第１のマイクと、
前記装置本体の前記前面と対向した背面に設けられ、前記第１のマイクに比べて狭い指向性を有する第２のマイクと、
前記装置本体の状態に応じて録音処理に用いるマイクを前記第１のマイクと前記第２のマイクとで切り替えて前記録音処理を実行する録音処理部と、
前記第１のマイクにより集音された第１の音声から第１の声成分を抽出し、前記第２のマイクにより集音された第２の音声から第２の声成分を抽出する声成分抽出部と、
を具備し、
前記録音処理部は、前記第１の声成分と前記第２の声成分とのどちらが大きいかに基づいて前記録音処理に用いるマイクを前記第１のマイクと前記第２のマイクとで切り替える録音装置。
【請求項１２】
表裏を成す前面と背面とを有する装置本体と、
前記装置本体の前面に設置され、所定の指向性を有する第１のマイクと、
前記装置本体の前記前面と対向した背面に設けられ、前記第１のマイクに比べて狭い指向性を有する第２のマイクと、
前記装置本体の状態に応じて録音処理に用いるマイクを前記第１のマイクと前記第２のマイクとで切り替えて前記録音処理を実行する録音処理部と、
前記背面に設けられ、音波を出力する音波出力部と、
を具備し、
前記録音処理部は、前記音波出力部から出力された音波の反射音が前記第２のマイクにより検出された場合、前記録音処理に用いるマイクを前記第１のマイクに切り替える録音装置。
【請求項１３】
表裏を成す前面と背面とを有する装置本体と、前記装置本体の前面に設置され、所定の指向性を有する第１のマイクと、前記装置本体の前記前面と対向した背面に設けられ、前記第１のマイクに比べて狭い指向性を有する第２のマイクと、前記装置本体が水平に設置されているか垂直に設置されているかを検知する姿勢検知部と、を具備する録音装置の制御方法であって、
前記装置本体が水平であるか否かに基づいて録音処理に用いるマイクを前記第１のマイクと前記第２のマイクとで切り替えて前記録音処理を実行する、
録音装置の制御方法。
【手続補正２】
【補正対象書類名】明細書
【補正対象項目名】０００５
【補正方法】変更
【補正の内容】
【０００５】
一実施形態に係る録音装置は、本体の前面に設置され、所定の指向性を有する第１のマイクと、前記本体の前記前面と対向した背面に設けられ、前記第１のマイクに比べて狭い指向性を有する第２のマイクと、前記本体の状態に応じて前記録音処理に用いるマイクを前記第１のマイクと前記第２のマイクとで切り替えて録音処理を実行する録音処理部と、前記装置本体が水平に設置されているか垂直に設置されているかを検知する姿勢検知部と、を具備し、前記録音処理部は、前記装置本体が水平であるか否かに基づいて前記録音処理に用いるマイクを前記第１のマイクと前記第２のマイクとで切り替える。
【国際調査報告】
2016006424.tif 000025
2016006424.tif 000026